(57)【要約】【課題】片手で簡単に、かつ任意の量のペーパーを取り出すことができ、トイレ空間で発生する水や排泄物の飛沫、ほこり等がペーパーへ付着することによる不衛生な状態を防ぎ、ペーパーの残量に関わらず常に取り出しやすい積層型ペーパーホルダを提供することを目的とする。【解決手段】複数枚のペーパーが積層されてなる積層型ペーパーの収納及び取り出し行うことができる箱体と、前記箱体の一面に設けられペーパーの取り出しを行う開口部と、前記開口部の開口面に対して平行にスライドして前記開口部を開閉するシャッター部材とが設けられた積層型ペーパーホルダにおいて、前記シャッター部材は、前記開口部を開放する方向である第１の方向へスライドする第１のスライド片と、前記第１のスライド片と連動し、前記第１の方向と対向し、かつ前記開口部を開放する第２の方向へスライドする第２のスライド片からなることを特徴とする。【選択図】  図１
2010280423.tif 000002
【特許請求の範囲】
【請求項１】
複数枚のペーパーが積層されてなる積層型ペーパーの収納及び取り出し行うことができる箱体と、前記箱体の一面に設けられペーパーの取り出しを行う開口部と、前記開口部の開口面に対して平行にスライドして前記開口部を開閉するシャッター部材とが設けられた積層型ペーパーホルダにおいて、前記シャッター部材は、前記開口部を開放する方向である第１の方向へスライドする第１のスライド片と、前記第１のスライド片と連動し、前記第１の方向と対向し、かつ前記開口部を開放する第２の方向へスライドする第２のスライド片からなることを特徴とする積層型ペーパーホルダ。
【請求項２】
前記箱体の一面を構成し壁面に取り付けるための取付け面は、前記積層型ペーパーの載置面とのなす角が直角となる面であり、前記開口部は、前記取り付け面と対向する面に設けられたことを特徴とする請求項１に記載の積層型ペーパーホルダ。
【請求項３】
前記開口部は、前記載置面に対して平行な１組の長辺と、前記載置面に対して垂直な１組の短辺とからなり、前記第１のスライド片は、前記短辺方向でかつ、前記開口部を開放する方向にスライドし、前記第２のスライド片は、前記第１のスライド片と連動し、前記短辺方向でかつ、第１のスライド方向と対向する方向へスライドすることを特徴とする請求項２に記載の積層型ペーパーホルダ。
【請求項４】
前記開口部の中心は、前記開口部が設けられている面の上下方向の中心に対して上方に偏心した位置に設けられていることを特徴とする請求項２または３に記載の積層型ペーパーホルダ。
【請求項５】
前記開口部が設けられている面は、前記載置面に対してヒンジ機構によって旋回可能に軸支されていることを特徴とする請求項２から４いずれか１項に記載の積層型ペーパーホルダ。
【請求項６】
前記開口部が設けられている面が開放するときに、前記開口部が設けられている面を前記取り付け面に向かって下方に傾斜した状態で保持するヒンジ保持機構を備え、また、前記載置面は、前記取り付け面に向かって下方に傾斜していることを特徴とする請求項５に記載の積層型ペーパーホルダ。
【請求項７】
前記第１のスライド片及び第２のスライド片のそれぞれは、取り出した前記積層型ペーパーを挟持可能な位置に設けられた弾性部材と、
前記弾性部材の前記積層型ペーパーを挟持する部分を除いた周囲を囲い、かつ前記弾性部材よりも剛性が高く、前記箱体にスライド可能に支持されている枠体と、から構成されていることを特徴とする請求項１から６のいずれか１項に記載の積層型ペーパーホルダ。
【請求項８】
前記シャッター部材は、前記第１及び第２のスライド片がそれぞれ前記開口部を開放する状態を保持する開状態保持機構を備えたことを特徴とする請求項１から７のいずれか１項に記載の積層型ペーパーホルダ。
【請求項９】
前記シャッター部材は、前記開口部の開放状態において、前記第１及び第２のスライド片を閉方向へ付勢する付勢手段を設けたことを特徴とする請求項１から８のいずれか１項に記載の積層型ペーパーホルダ。
【発明の詳細な説明】
【技術分野】
【０００１】
本発明は、複数枚のペーパーが積層されてなる積層型ペーパーのペーパーホルダに関する発明である。 
【背景技術】
【０００２】
トイレ空間で使用されるペーパーは、使用者によってその使用する紙量が異なり、最も汎用されているロール型ペーパーは、ロールされたペーパーを任意の量で切り取るために、ロール型ペーパーホルダの上部に設けられた紙切版を押さえて切り取る必要があり、両手が塞がってしまう。
この課題を解決するために、紙切板におもり等を取り付け、片手で簡単にペーパーが切り取れるものがある。しかしながら、このようなロール型ペーパーでは、ペーパーを片手で切り取ることは出来るが、ペーパーは常に外環境に曝されており、トイレ空間で発生した汚れが付着する恐れがある。
【０００３】
一方で、片手で簡単に必要な量のペーパーを取り出すことができる積層型のペーパーが存在し、トイレ空間においても、片手で簡単に使用できることから、ロール型ペーパーホルダに積層型ペーパーボックスを取り付けて使用することを目的とした発明がある。（例えば、特許文献１参照）。
【先行技術文献】
【特許文献】
【０００４】
【特許文献１】特開２００２−１６５７２６号公報
【発明の概要】
【発明が解決しようとする課題】
【０００５】
ロール型のペーパーホルダでは、ペーパーにトイレ空間で発生した水や排泄物の飛沫が付着する恐れがある。また、特許文献１に記載の積層型ペーパーボックスは、ペーパーがボックス内に収納されているため、トイレ空間で発生した水や排泄物の飛沫が付着する恐れはないが、ペーパー残量が少なくなったときに、ペーパーがボックス底面に落ちてしまい取り出しづらいものであった。
そこで、ペーパーがボックス底面に落ちたときに、ペーパーの取り出し口から手を挿入してペーパーを取り出せるように取出し口を大きくすることが考えられるが、その場合、その取出し口から水などが入り込んでペーパーに付着しやすくなってしまうため、取出し口にスライド状のカバーを設けることが必要となる。しかし、大きく開口した取出し口を覆うことのできるカバーは大きくなってしまい、その大きなカバーを開閉するためにはスライド距離が長くなり操作が煩雑になってしまい、使い勝手が悪くなる恐れがあった。
【０００６】
本発明は、上記問題を解決するためになされたもので、ペーパー取り出し口を覆うカバーによってトイレ空間で発生する水や排泄物の飛沫、ほこり等がペーパーへ付着することによる不衛生な状態を防ぎ、しかも、ペーパーの残量が減って、ペーパーがボックス内に落ちたとしても、簡単な操作でペーパー取出し口を覆うカバーを開放することができ、その開放された取出し口から手を挿入してボックス内に落ち込んだペーパーを取り出すことが可能な使い勝手のよい積層型ペーパーホルダを提供することを目的とする。
【課題を解決するための手段】
【０００７】
上記目的を達成するために請求項１記載の積層型ペーパーホルダでは、複数枚のペーパーが積層されてなる積層型ペーパーの収納及び取り出し行うことができる箱体と、前記箱体の一面に設けられペーパーの取り出しを行う開口部と、前記開口部の開口面に対して平行にスライドして前記開口部を開閉するシャッター部材とが設けられた積層型ペーパーホルダにおいて、前記シャッター部材は、前記開口部を開放する方向である第１の方向へスライドする第１のスライド片と、前記第１のスライド片と連動し、前記第１の方向と対向し、かつ前記開口部を開放する第２の方向へスライドする第２のスライド片からなることを特徴とする。
【０００８】
本発明によれば、通常使用時にシャッター部材を閉じた状態においては、ペーパーがボックス内に収納されているため、トイレ空間で発生した水や排泄物の飛沫が入り込むことを防ぐことができる。一方、ペーパー残量が少なくなってペーパーがボックス底面（載置面）に落ち込んだ場合には、第１または第２のスライド片を開口部が開放する方向へと移動させることにより、第１のスライド片と連動して第２のスライド片がスライドして開口部を開放することができるので、各スライド片のスライド距離が従来に比べ半分程度に短くなり、簡単な操作で開口部を広く開放することができ、ボックス内に落ち込んだペーパーを取り出すときに、１枚ずつ確実に取り出せペーパーを無駄にすることもない。また、シャッター部材が閉じた状態においては、前記第１、第２のスライド片はペーパーを２方向から挟持する作用を奏するため、通常使用時においても、ペーパーを１枚ずつ取り出しやすい状態に保つことが出来る。
【０００９】
請求項２記載の積層型ペーパーホルダでは、前記箱体の一面を構成し壁面に取り付けるための取付け面は、前記積層型ペーパーの載置面とのなす角が直角となる面であり、前記開口部は、前記取り付け面と対向する面に設けられたことを特徴とする。
【００１０】
本発明によれば、積層型ペーパーホルダの開口部が取り付け面と対向した面に形成されていることで、使用者は、ペーパーを前記取り付け面と対向する面、すなわち、使用者に近い面に設けられた開口部から引き出すので、ペーパー取り出し動作における動線距離が短くなりペーパーが取り出しやすい。
【００１１】
請求項３記載の積層型ペーパーホルダでは、前記開口部は、前記載置面に対して平行な１組の長辺と、前記載置面に対して垂直な１組の短辺とからなり、前記第１のスライド片は、前記短辺方向でかつ、前記開口部を開放する方向にスライドし、前記第２のスライド片は、前記第１のスライド片と連動し、前記短辺方向でかつ、第１のスライド方向と対向する方向へスライドすることを特徴とする。なお、本発明における載置面に対して平行な長辺は、載置面と厳密に平行である必要はなく、直線に限定されるものではない。また、載置面に対して垂直な短辺に関しても同様である。
【００１２】
本発明によれば、各スライド片が開口部を短辺方向にスライドし開放するので、スライド部材のスライド距離が短くて済み、より簡単に開口部を開口することができボックス内に落ち込んだペーパーを容易に取り出すことができる。
【００１３】
請求項４記載の積層型ペーパーホルダでは、前記開口部の中心は、前記開口部が設けられている面の上下方向の中心に対して上方に偏心した位置に設けられていることを特徴とする。
【００１４】
本発明によれば、開口部をボックス中心部より上部に偏心させることで、前記開口部上部のデッドスペースが減るため、ペーパーボックスの容積を有効に活用でき、ペーパーの取り出しやすさを損なわずに、積層可能なペーパー量を増やすことができる。
【００１５】
請求項５記載の積層型ペーパーホルダでは、前記開口部が設けられている面は、前記載置面に対してヒンジ機構によって旋回可能に軸支されていることを特徴とする。
【００１６】
本発明によれば、ボックスのペーパー取り出し面全体が広く開放するので積層型ペーパーを容易に交換することができる。
【００１７】
請求項６記載の積層型ペーパーホルダでは、前記開口部が設けられている面が開放するときに、前記開口部が設けられている面を前記取り付け面に向かって下方に傾斜した状態で保持するヒンジ保持機構を備え、また、前記載置面は、前記取り付け面に向かって下方に傾斜していることを特徴とする。
【００１８】
本発明によれば、開口部が設けられている蓋部を開放すると、前記蓋部と載置面がそれぞれ取り付け面に向かって下方に傾斜した状態となるので、積層型ペーパーの交換時に、前記載置面へ積層型ペーパーを滑らせ容易にセットすることができる。また、前記蓋部の裏面を利用して交換が行えるので、交換作業が容易となる。
【００１９】
前記第１のスライド片及び第２のスライド片のそれぞれは、取り出した前記積層型ペーパーを挟持可能な位置に設けられた弾性部材と、前記弾性部材の前記積層型ペーパーを挟持する部分を除いた周囲を囲い、かつ前記弾性部材よりも剛性が高く、前記箱体にスライド可能に支持されている枠体とから構成されている、
ことを特徴とする
【００２０】
本発明によれば、ペーパー引き出し時において、前記第１及び第２のスライド片は、弾性部材が適度に弾性変形しながらペーパーを狭持することにより、積層型ペーパーからペーパーを１枚ずつ取り出せ、引出し終了後は、復元してペーパーを確実に挟持するので積層型ペーパーがボックス載置面に落ち込むことを防ぐことができる。さらに、シャッター部材は、前記弾性部材よりも剛性の高い枠体によりその周囲が囲われて前記箱体にスライド可能に支持されているので、スムーズなスライド開閉を実行できる。
【００２１】
請求項８記載の積層型ペーパーホルダでは、前記シャッター部材は、前記第１及び第２のスライド片がそれぞれ前記開口部を開放する状態を保持する開状態保持機構を備えたことを特徴とする。
【００２２】
本発明によれば、ペーパーがボックス載置面に落ち込んでも、シャッター部材を開き、ボックス内に手を入れてペーパーを取り出すときに開口部を開状態に保つことができるので、手を挟むことも無く載置面に落ち込んだペーパーを安全に取り出すことが出来る。
【００２３】
請求項９記載の積層型ペーパーホルダでは、前記シャッター部材は、前記開口部の開放状態において、前記第１及び第２のスライド片を閉方向へ付勢する付勢手段を設けたことを特徴とする。
【００２４】
本発明によれば、前記請求項８の効果に加え開口部の開状態から簡単に閉状態に復帰することができるため使い勝手がよい。
【発明の効果】
【００２５】
本発明に関わる積層型ペーパーホルダによれば、ペーパー取り出し口を覆うカバーによってトイレ空間で発生する水や排泄物の飛沫、ほこり等がペーパーへ付着することによる不衛生な状態を防ぐことができる。しかも、ペーパーの残量が減って、ペーパーがボックス内に落ちたとしても、簡単な操作でペーパー取出し口を覆うカバーを開放することができ、その開放された取出し口から手を挿入してボックス内に落ち込んだペーパーを取り出すことが可能で使い勝手がよい。
【図面の簡単な説明】
【００２６】
【図１】本発明の第１実施例における積層型ペーパーホルダの蓋部を開放している状態を示した斜視図である。
【図２】図１の状態で積層型ペーパーを水平に載置した状態を示す斜視図である。
【図３】本発明の第１実施例における積層型ペーパーホルダの開口部の開状態を示す斜視図である。
【図４】本発明の第１実施例における積層型ペーパーホルダの開口部の閉状態を示す斜視図である。
【図５】本発明の第１実施例におけるシャッター部材を示す図である。
【図６】本発明の第１実施例におけるシャッター部材を備えた蓋部の構成を示す図である。
【図７】シャッター部材のリンク機構における他の実施例を示す図である。
【図８】図２の積層型ペーパーにおける載置方向の他の実施例である。
【図９】図５のシャッター部材に付勢手段を設けた図である。
【図１０】本発明の第１実施例の変形例を示す斜視図である。
【図１１】本発明の第２実施例における積層型ペーパーホルダの蓋部を開放している状態を示した斜視図である。
【図１２】本発明の第２実施例における積層型ペーパーホルダの蓋部の閉状態を示した斜視図である。
【発明を実施するための形態】
【００２７】
以下、本発明の具体的な実施例に基づいてその使用方法を説明する。
【００２８】
積層型ペーパーホルダ１の第１実施例の基本構成について図１〜４を用いて説明する。図１及び図２は、本発明の積層型ペーパーを示す斜視図であり、積層型ペーパーホルダ１の本体を形成する箱体２は、積層型ペーパー３を載置する載置面４と、載置面４に対して垂直であり、トイレ空間の壁面５に取り付けられる取り付け面６と、取り付け面６に対向した面であり、積層型ペーパー３の交換を行う際に、箱体２を開放可能な蓋部７には、積層型ペーパー３を取り出すための開口部８が備えられている。開口部８は、載置面４に対して略平行な１対の長辺と、載置面４に対して略垂直な１対の短辺で構成されている。
【００２９】
また、蓋部７には、開口部８の開口面に対して平行にスライドして開口部８を開閉する図５に示すようなシャッター部材９が設けられており、図６に示すように蓋部７は、蓋前面部７ａと蓋背面部７ｂでシャッター部材９を覆うように構成されている。さらに、シャッター部材９は、開口部８を開放する方向である第１の方向へスライドする第１のスライド片９ａと、第１のスライド片９ａと連動し、第１の方向と対向し、かつ開口部を開放する方向である第２の方向へスライドする第２のスライド片９ｂから形成されており、シャッター部材９が閉状態において、積層型ペーパ３を挟持している。
【００３０】
次に、リンク機構を用いたシャッター部材９による開口部８の開閉について、閉状態から開状態への移行を例として具体的に説明する。図５ａの開口部８の閉状態において、第１のスライド片９ａに設けられた操作部１０を蓋部７の上方へ引き上げることで、第１のスライド片９ａは、図５ｂに示すように中心線の上方へスライドする。同時に、可動部材１１ａから可動部材１１ｂへ第２のスライド片９ｂが、短辺方向でかつ、第１のスライド方向と対向する方向へ移動する力を伝達することで、第２のスライド片９ｂは、第１のスライド片９ａと連動し、図５ｂに示すように中心線の下方へスライドする。
以上の動作でシャッター部材９は開放状態となり、図１に示すように開口部８が開状態となる。また、このときに可動部材１１ａと可動部材１１ｂの接合部は、蓋背面部７ｂに設けられた蓋部背面溝１２内を蓋背面部７ｂの側方から開口部８側へ水平移動する。なお、開状態から閉状態への移行については、操作部１０を蓋部７の上方へ引き上げるので、働く力の向きが反対になり、図５ｂの状態から第１のスライド片９ａと第２のスライド片９ｂが中心線の方向へ移動し、図５ａの閉状態となる。このとき、可動部材１１ａと可動部材１１ｂの接合部は、蓋部背面溝１２内を開口部８側から蓋背面部７ｂの側方へ水平移動する。
【００３１】
また、リンク機構によるシャッター部材９の開閉については、蓋背面部７ｂの前面に図５ｂに示すような引掛け片１３を設けて、シャッター部材９に各種ポリマーの糸や金属糸等を設けて図７のように引掛け片１３に引掛けるような構成にしてもよく、操作部１０の引き上げ及び引き下げ動作によって力を伝達する機構であれば適宜利用できる。
【００３２】
以下に、本発明における積層型ペーパーホルダ１のペーパー交換方法について図を用いて説明する。
【００３３】
まず、積層型ペーパー３の取り付け、交換については、図１に示すように、蓋部７の底部などに設けられたヒンジ部１４を軸として、箱体２が開放状態となるように蓋部７を前方へ引き出す。このとき、蓋部７の上部１５と箱体２の枠上部１６とはマグネット等で保持されているので、蓋部７をマグネットの吸着力よりも強い力で引き出すことにより、箱体２が開放状態となる。なお、ヒンジ部１４は、蓋部７の底部ではなく上部に設けられていてもよく、この場合マグネットは、蓋部７の底部と箱体２の枠底部となる。
【００３４】
この状態で、積層型ペーパー３を例えば、図２のように載置面４に対して垂直方向に積層するようにセットする。その後、開放時と同様に、ヒンジ部１４を軸として、箱体２が閉状態となるように蓋部７を持ち上げることで、蓋部７の上部１５と箱体の枠上部１６とがマグネット等で保持される。
なお、積層型ペーパー３の載置面４への載置方向に関しては、図８に示すように、取り付け面６を底面として垂直方向にセットすることもできる。
【００３５】
最後に、蓋部７に備えられた開口部８を開放するようにシャッター部材９を開放する。そして、開口部８から最初に使用する積層型ペーパー３を一部取り出し、操作部１０を押してシャッター部材９を閉止することによって、積層型ペーパー３は、シャッター部材９を構成する第１のスライド片９ａ及び第２のスライド片９ｂによって挟持されるので、積層型ペーパー３が１枚ずつ取り出しやすい。また、シャッター部材９は、図５で示すように、第１のスライド片９ａ及び第２のスライド片９ｂのそれぞれは、積層型ペーパー３を挟持する弾性部材１７と、弾性部材１７の積層型ペーパー３を挟持する部分を除いた周囲を囲い、かつ弾性部材１７よりも剛性が高く、前記箱体にスライド可能に支持されている枠体１８とから構成されており、積層型ペーパー３を取り出す際に、弾性部材１７による適度な摩擦力が生じるので、積層型ペーパー３が更に取り出しやすく、また、載置面４への落下がしにくくなる。さらに、弾性部材１７を設けることで、開口部８が不意に閉状態となっても弾性部材１７が衝撃を吸収するので、手が挟まったとしても安全である。なお、弾性部材１７としては、例えば、ポリビニルアルコール、ポリプロピレン等の各種高分子フィルムやシリコンラバーなどが挙げられ、積層型ペーパー３を繰り返し引き出してもその挟持力が低下しないようなものであれば適宜選択可能である。
【００３６】
一方で、積層型ペーパー３の残量が少なくなることによって、積層型ペーパー３が載置面４へ落ち込むことも考えられるが、積層型ペーパー３の交換時と同様に、操作部１０を押して、第１のスライド片９ａと第２のスライド片９ｂを開放することで、開口部８が開くので、積層型ペーパー３が、載置面４に落ち込んだ場合でも、手で簡単に積層型ペーパー３を載置面４から取り出し、再度セットすることができる。
【００３７】
また、図６に示すように、開口部８の開放状態において、蓋部７に、その開放状態を保持するように開状態保持機構を設けてもよく、シャッター部材９は、操作部１０を押し上げることにより開口部８を開放するが、このとき操作部１０を蓋部７に設けられた開状態保持機構として作用する突起部１９に引掛けることにより、シャッター部９が開口部８を開放した状態で保持される。
【００３８】
さらに、図９に示すように、開口部８の開放状態において、第１のスライド片９ａ及び第２のスライド片９ｂを閉方向へ付勢する付勢手段２０を設けるとさらによい。開口部８の開放状態において、突起部１９により保持された操作部１０をさらに引き下げることで突起部１９からの保持を開放すると、付勢手段２０の付勢力により、シャッター部材９は閉じられ、開口部８は閉状態となる。
【００３９】
以上の働きにより、シャッター部材９をワンタッチでスライド開閉を行うことができ、積層型ペーパー３をセットする作業をさらに容易に行うことができる。
【００４０】
続いて、第１の実施例の変形例を図１０に示す。図１０は、開口部８の位置が、図１の位置よりも箱体２の上面側に設けられている。積層型ペーパー３を載置面４に対して垂直に積層した場合、積層型ペーパー３が使用されていない、またはほとんど使用されていない状態では、積層型ペーパー３の積層面と開口部８が略同一面となることが、積層型ペーパー３を取り出しやすくする上で好ましい。積層型ペーパー３の積層面が、開口部８よりも上方になるように積層すると、積層型ペーパー３と開口部８との間に摩擦力が生じ、積層型ペーパー３が取り出しにくくなる。
【００４１】
従って、図１０のような構成とすることで、箱体２の開口部８より上側のデッドスペースが減るため、積層型ペーパーホルダ１の容積を有効に活用でき、積層型ペーパー３の取り出しやすさを損なわずに積層可能なペーパー量を増やすことができる。
【００４２】
次に、本発明の第２の実施例について説明する。
【００４３】
本発明第２の実施例は、図１１、図１２に示すように、載置面２１が、取り付け面２２に向かって下方に傾斜している。また、蓋部２３が開放するときに、ヒンジ部２４には、蓋部２３を取り付け面２２に向かって下方に傾斜した状態で保持するためのヒンジ保持機構が備えられている。蓋部２３を引き倒すことにより実施例１と同様にして、蓋部２３は、ヒンジ部２４を軸として回動し、箱体２６を開放するが、ヒンジ保持機構によって蓋部２３の回動が規制されるため、蓋部２３は、取り付け面２２に向かって載置面２１と同様に所定角度傾斜した状態となる。
【００４４】
従って、箱体２６の開放状態においては、図１１に示すように、載置面２１と蓋部２３がそれぞれ取り付け面に向かって下方に傾斜した状態となり、交換時に積層型ペーパー３を容易にセットすることができる。また、蓋部２３の裏面を利用して交換が行えるので、交換作業が容易となる。
【００４５】
なお、図１１では、取り付け面２２と蓋部２３で形成される面は、同一平面となるように規制されているが、蓋部２３は、箱体２６を閉止する方向（取り付け面と蓋部で形成されるなす角が小さくなる方向）で規制されていてもよい。また、当該面は、段形状になっていてもよい。
【００４６】
以上、本発明について実施例を通して説明してきたが、本発明は上述の実施例に限定されるものではなく、本発明の技術思想から逸脱しない範囲で適宜設計変更してもよい。
【産業上の利用可能性】
【００４７】
本発明の積層型ペーパーホルダの使用については、トイレ空間が好ましいが、その他、油が飛散する恐れのある台所等外部環境に曝されることでペーパーに汚れが付着してしまう場所では好適に使用することができる。
また、本発明において、通常使用時は、ボックスは外環境に曝されないので、積層型ペーパーにおいても、乾燥したペーパーのみならずウェットティッシュ等を使用することについても何ら問題はない。
【符号の説明】
【００４８】
１…            積層型ペーパーホルダ
２、２６…        箱体
３…           積層型ペーパー
４、２１…        載置面
５…           壁面
６、２２…        取り付け面
７、２３…        蓋部
７ａ…         蓋部前面部品
７ｂ…         蓋部背面部品
８…            開口部
９…            シャッター部材
９ａ…         第１のスライド片
９ｂ…         第２のスライド片
１０、２５…   操作部
１１ａ…       可動部材
１１ｂ…       可動部材
１２…         蓋部背面溝
１３…         引掛け片
１４、２４…        ヒンジ部
１５…         蓋上部
１６…         枠上部
１７…            弾性部材
１８…            枠体
１９…         突起部
２０…            付勢手段
【図１】
2010280423.tif 000003
【図２】
2010280423.tif 000004
【図６】
2010280423.tif 000005
【図８】
2010280423.tif 000006
【図１１】
2010280423.tif 000007
【図３】
2010280423.tif 000008
【図４】
2010280423.tif 000009
【図５】
2010280423.tif 000010
【図７】
2010280423.tif 000011
【図９】
2010280423.tif 000012
【図１０】
2010280423.tif 000013
【図１２】
2010280423.tif 000014